(57)【要約】【課題】引き出し扉を有する冷蔵庫において、レールユニットを仕切り壁に固定する際の仕切り壁の断熱効果を高める。【解決手段】レール固定部材９０の第１ベース部９１が仕切り壁の基台上の領域ＰＲに固定されており、第２ベース部９２が仕切り壁２３の断熱層２３ｂ上の領域ＨＲに固定されている。そして、第２ベース部９２は、仕切り壁２３の係止部２３ｄにより、断熱層２３ｂにネジ等が挿入されることなく、固定される。【選択図】図４
2014102049.tif 000002
【特許請求の範囲】
【請求項１】
内部に収容空間を形成した箱体と、前記箱体の前記収容空間を仕切り複数の冷凍・冷蔵部屋を形成する仕切り壁と、前記仕切り壁により仕切られた前記冷凍・冷蔵部屋に設置された引き出し扉と、前記引き出し扉を移動可能に保持するレールユニットと、前記レールユニットを前記仕切り壁上に固定するレール固定部材とを有する冷蔵庫であって、
前記仕切り壁は、
中空部を有し前記箱体に固定された基台と、
前記基台の前記中空部に形成された断熱層と、
前記基台及び前記断熱層上に固定された上板と、
前記上板の前記断熱層上の領域に凸状に設けられた、前記レール固定部材を係止するための隙間を形成する係止部と
を備えたものであり、
前記レール固定部材は、
前記仕切り壁の縁部であって前記上板の前記基台に接触している領域に固定される第１ベース部と、
前記係止部により形成された前記隙間に挿入されて前記上板の前記断熱層上の領域に固定される第２ベース部と、
一端側が前記第１ベース部に接続され他端側が前記第２ベース部に接続されており前記第１ベース部及び前記第２ベース部に対し突出して形成された、上部において前記レールユニットを支持するレール支持部と
を有するものであることを特徴とする冷蔵庫。
【請求項２】
前記基台は、縁部に前記上板側から固定部材を挿入するための貫通孔を有するものであり、
前記第１ベース部は、前記固定部材を挿入するための穴を有し、前記穴及び前記貫通孔に固定部材が挿入されることにより前記仕切り壁に固定されるものであることを特徴とする請求項１に記載の冷蔵庫。
【請求項３】
前記係止部は、前記上板の一部を凸状に加工し形成されたものであって、
前記第２ベース部は、前記係止部と前記断熱層との間に形成された隙間に挿入されることにより固定されるものであることを特徴とする請求項１または２に記載の冷蔵庫。
【請求項４】
前記係止部は、前記上板上に設けられた凸状の部材であって、
前記第２ベース部は、前記上板と前記係止部との間に形成された隙間に挿入されることにより固定されるものであることを特徴とする請求項１または２に記載の冷蔵庫。
【請求項５】
前記断熱層には真空断熱材が含まれていることを特徴とする請求項１から４のいずれか１項に記載の冷蔵庫。
【発明の詳細な説明】
【技術分野】
【０００１】
本発明は、引き出し扉を有する冷蔵庫に関するものである。
【背景技術】
【０００２】
従来、冷蔵庫の野菜室や冷凍室等が引き出し扉になっているものが知られている。この引き出し扉は、庫内に取り付けられたレールユニットに沿ってスライドする構造を有しており、庫内におけるレールの取付機構には種々の方法が提案されている（例えば特許文献１−３参照）。特許文献１には、庫内の各冷凍・冷蔵部屋を仕切る仕切り壁にレール支持部を介してレールが取り付けられた構造が開示されている。また、特許文献２、３には庫内の側壁内部に補強部材が取り付けられており、補強部材を介してレールが側壁に固定された構造が開示されている。
【先行技術文献】
【特許文献】
【０００３】
【特許文献１】特開２００９−２２８９４８号公報（段落０１０５、図８）
【特許文献２】特開２００９−３０８７５号公報（段落００４１、図８）
【特許文献３】特開２００６−１７７６５４号公報（段落０１６２、図２２）
【発明の概要】
【発明が解決しようとする課題】
【０００４】
特許文献１−３において、冷蔵庫の引き出し扉のレールは冷蔵庫本体の側面断熱壁、もしくは仕切り壁に対してネジ等の固定部材を挿入し固定している。ところで、近年、冷蔵庫運転時の消費電力の削減のため断熱性能を向上させるため、断熱壁内や仕切り壁内に真空断熱材が埋設されている。真空断熱材は表面をアルミ箔で覆われて密封されているものであり、ネジの先端が接触すると容易に破袋に至ってしまうおそれがある。したがって、特許文献１−３に示すような断熱材に対し固定部材を挿入するような取り付構造である場合、側壁内もしくは仕切り壁内の真空断熱材の表面を傷つけ断熱効果を劣化させてしまうおそれがある。
【０００５】
本発明は、上記のような課題を解決するためになされたものであり、仕切り壁の断熱層に影響を及ぼすことなく、引き出し扉のレールユニットを庫内に取り付けることができる冷蔵庫を提供することを目的とするものである。
【課題を解決するための手段】
【０００６】
本発明に係る冷蔵庫は、内部に収容空間を形成した箱体と、箱体の収容空間を仕切り複数の冷凍・冷蔵部屋を形成する仕切り壁と、仕切り壁により仕切られた冷凍・冷蔵部屋に設置された引き出し扉と、引き出し扉を移動可能に保持するレールユニットと、レールユニットを仕切り壁上に固定するレール固定部材とを有する冷蔵庫であって、仕切り壁は、中空部を有し箱体に固定された基台と、基台の中空部に形成された断熱層と、基台及び断熱層上に固定された上板と、上板の断熱層上の領域に凸状に設けられた、レール固定部材を係止するための隙間を形成する係止部とを備えたものであり、レール固定部材は、仕切り壁の縁部であって上板の基台に接触している領域に固定される第１ベース部と、係止部により形成された隙間に挿入されて上板の断熱層上の領域に固定される第２ベース部と、一端側が第１ベース部に接続され他端側が第２ベース部に接続されており第１ベース部及び第２ベース部に対し突出して形成された、上部においてレールユニットを支持するレール支持部とを有するものである。
【発明の効果】
【０００７】
本発明の冷蔵庫によれば、断熱層上に位置するレール固定部材の第２ベース部が、断熱層内にネジ等の固定部材が挿入されることなく、上板の係止部に嵌め込まれて固定されるため、ネジ等の固定部材が仕切り壁内に設けられた断熱層に触れることがなく、引き出し扉のレールユニットを断熱材に影響を及ぼすことなく取り付けることができる。
【図面の簡単な説明】
【０００８】
【図１】本発明の冷蔵庫の好ましい実施形態を示す外観図である。
【図２】図１の冷蔵庫の断面図である。
【図３】図１及び図２の冷蔵庫におけるレールユニットの周辺部位を示す分解斜視図である。
【図４】図１及び図２の冷蔵庫におけるレールユニットの周辺部位を示す断面図である。
【図５】従来の冷蔵庫におけるレールユニットの周辺部位を示す分解斜視図である。
【図６】従来の冷蔵庫におけるレールユニットの周辺部位を示す断面図である。
【図７】従来の冷蔵庫におけるレールユニットの周辺部位を示す分解斜視図である。
【図８】従来の冷蔵庫におけるレールユニットの周辺部位を示す断面図である。
【図９】本発明の冷蔵庫の別の実施形態を示す断面図である。
【発明を実施するための形態】
【０００９】
以下、図面を参照しながら本発明の冷蔵庫の実施形態について説明する。図１は、本発明の冷蔵庫１００の好ましい実施形態を示す外観図、図２は図１の冷蔵庫の断面図をそれぞれ示しており、図１及び図２を参照して冷蔵庫１００について説明する。冷蔵庫１００は、内部に収容空間を形成した箱体１を有するものであり、箱体１の前面１Ｘ側に開口が形成されている。そして、箱体１内には箱体１の収容空間を仕切り複数の冷凍・冷蔵部屋３０〜６０を形成する仕切り壁２１、２２、２３が設置されている。
【００１０】
たとえば図１及び図２の冷蔵庫１００においては、複数の冷凍・冷蔵部屋３０〜６０として、１段目に約３度に温度設定された冷蔵室３０、２段目に製氷室４０Ａ及び約０度から−１８度の温度まで選択が出来る切り替え室４０Ｂ、３段目に約−１８度で保存可能な冷凍室５０、４段目に約５度で保存可能な野菜室６０がそれぞれ設けられている。冷蔵室３０内には棚３１〜３４及びケース３７が設けられており、開閉扉２Ａ（２Ｂ）にはポケット３６〜３８が設けられている。製氷室４０Ａ（切り替え室４０Ｂ）にはケース４１が設けられている。冷凍室５０には下ケース５１と上ケース５２が設けられており、野菜室６０には下ケース６１と上ケース６２が設けられている。
【００１１】
冷蔵庫１００は、仕切り壁２３により密閉した冷凍・冷蔵部屋３０〜６０の前面１Ｘ側に開閉可能に取り付けられた扉２Ａ〜２Ｆを有している。冷蔵室３０には２つの開閉扉２Ａ、２Ｂが取り付けられており、各開閉扉２Ａ、２Ｂは、箱体１の側壁側を回転軸として開閉する。一方、引き出し扉２Ｃ〜２Ｆは、ケース４１、５１、６１とともに奥行き方向（矢印Ｙ方向）に移動可能に取り付けられている。
【００１２】
冷蔵庫１００は、箱体１の背面１Ｙ側の上部に設けられた上部把手部２を有しており、上部把手部２は冷蔵庫１００を運搬・移動等する際に把持されるものである。また、箱体１の底部の前面側には板金製の前桁３と、前桁３の高さを調節する調節足部４と、ネジ部５とが設けられている。また、箱体１の底部には移動用ローラ７、８が取り付けられており、箱体１の前面１Ｘ側にそれらを隠す化粧カバー６が取り付けられている。
【００１３】
箱体１の内部の背面１Ｙ側には空気を冷却し循環させるための冷却機構が取り付けられている。具体的には、冷蔵庫１００は、圧縮機１１、冷却器１２、送風ファン１３等を備えている。圧縮機１１は冷却器１２に送る冷媒を圧縮するものであり、冷却器１２は圧縮機１１により圧縮された冷媒と空気との熱交換を行うことにより、箱体１内の空気を冷却するものである。送風ファン１３は、冷却器１２により冷却された空気を風路１４から各冷凍・冷蔵部屋３０〜６０へ循環させるものである。冷却器１２の下部には冷却器１２に付いた霜を溶かすためのヒータ１５が取り付けられている。また、溶かした水分が直接ヒータ１５にかからないように、冷却器１２とヒータ１５との間にカバー１６が設置されている。
【００１４】
図３は図１及び図２の冷蔵庫における引き出し扉２Ｅの周辺部位を示す分解斜視図、図４は図１及び図２の冷蔵庫１００における引き出し扉２Ｅの周辺部位を示す断面図であり、図３と図４を参照して冷蔵庫１００について説明する。なお、図３及び図４において、冷凍室５０の引き出し扉２Ｅについて例示しているが、他の引き出し扉２Ｆ等についても同一の構成を採用することができる。
【００１５】
まず、箱体１は、外箱１Ａ、内箱１Ｂ、断熱材１Ｃにより構成されている。外箱１Ａはたとえば板状の金属からなっており、内部に密閉された空間を形成する。一方、内箱１Ｂはたとえばプラスチック等の樹脂等の外箱１Ａ内に収容されたものであって、冷蔵庫１００の室内空間を形成している。断熱材１Ｃは、外箱１Ａと内箱１Ｂとの間の密封空間に設けられており、事前に真空断熱材を埋設した状態でウレタン発泡材からなる断熱材を封入することにより形成されている。
【００１６】
仕切り壁２３は基台２３ａ、断熱層２３ｂ、上板２３ｃを備えている。基台２３ａはたとえばプラスチック等の樹脂からなっており、中央に断熱層２３ｂを収容する中空部２３ｘを有している。そして、基台２３ａは縁部において内箱１Ｂに固定されており、内箱１Ｂと基台２３ａとにより密閉空間（冷凍室５０）を形成している。断熱層２３ｂはたとえば発泡スチロールや真空断熱材を埋設した発泡ウレタン等の断熱材からなっており、基台２３ａの中空部２３ｘに収容されている。上板２３ｃはたとえばプラスチック等の樹脂からなる板状の部材であって、基台２３ａ及び断熱層２３ｂ上に固定されている。
【００１７】
また、仕切り壁２３にはレール固定部材９０を固定するための係止部２３ｄ及び貫通孔２３ｅが設けられている。係止部２３ｄは、上板２３ｃの表面に対し凸状であってたとえば矩形のエンボス形状に形成されたものであって、上板２３ｃにおける断熱層２３ｂ上の領域ＨＲに形成されている。そして、断熱層２３ｂと係止部２３ｄとの間には隙間が形成されており、この隙間にレール固定部材９０が挿入される。貫通孔２３ｅは上板２３ｃにおける基台２３ａと接触する領域ＰＲに形成されており、レール固定部材９０は、貫通孔２３ｅに固定部材９４が上板２３ｃ側から挿入されて固定される。
【００１８】
さらに、冷蔵庫１００は、引き出し扉２Ｅを移動可能に保持するレールユニット８０と、レールユニット８０を仕切り壁２３上に固定するレール固定部材９０とを有している。レールユニット８０は、扉フレーム７０を介して引き出し扉２Ｅを移動可能に保持している。具体的には、扉フレーム７０は、箱体１の奥行き方向（矢印Ｙ方向）へ延びた板状の部材であって、前面１Ｘ側の端部に引き出し扉２Ｅを固定するための固定端面７０ａが形成されている。そして、扉フレーム７０の固定端面７０ａがネジ等により引き出し扉２Ｅに固定され、引き出し扉２Ｅと扉フレーム７０とが一体的に移動するようになっている。また、扉フレーム７０の上部７０ｂには下ケース５１が取り付けられており、扉フレーム７０の下部７０ｃがレールユニット８０に移動可能に保持されている。
【００１９】
レールユニット８０は、引き出し扉２Ｅを奥行き方向（矢印Ｙ方向）に移動可能に保持する固定レール８１、中間レール８２、移動レール８３を備えている。固定レール８１は、レール固定部材９０を介して仕切り壁２３に取り付けられている。中間レール８２は固定レール８１に対し奥行き方向（矢印Ｙ方向）にスライド可能に取り付けられており、移動レール８３は中間レール８２に対し奥行き方向（矢印Ｙ方向）にスライド可能に取り付けられている。移動レール８３と中間レール８２の間及び中間レール８２と固定レール８１の間にはそれぞれベアリング８４が組み込まれており、移動レール８３は箱体１に対し奥行き方向（矢印Ｙ方向）に滑らかに摺動して伸縮するようになっている。
【００２０】
移動レール８３の上部の後ろ側にはツメ８３ａが設けられており、ツメ８３ａが扉フレーム７０の下部に引っ掛かる。一方、移動レール８３の前面側にはネジ穴８３ｂが設けられており、ツメ８３ａが引っ掛かった状態で扉フレーム７０をネジ止めすることにより、扉フレーム７０及び引き出し扉２Ｅが移動レール８３に固定される。したがって、使用者が引き出し扉２Ｅを矢印Ｙ方向に引き出した際、引き出し扉２Ｅに固定された扉フレーム７０と下ケース５１と移動レール８３とが中間レール８２及び固定レール８１にガイドされて一体的にスライド移動することになる。
【００２１】
レール固定部材９０は、レールユニット８０を仕切り壁２３上に保持するものであって、金型成形等により曲げ加工されたブラケットからなっている。このレール固定部材９０は、第１ベース部９１、第２ベース部９２、レール支持部９３を有している。第１ベース部９１は、上板２３ｃの基台２３ａ上に位置する領域ＰＲに固定されるものであって、平板状に形成された部材に固定部材９４を挿入するための穴が形成された構造を有している。そして、第１ベース部９１の穴及び基台２３ａに設けられた貫通孔２３ｅに対しネジ、ボルト等の固定部材９４が挿入され、第１ベース部９１が仕切り壁２３に対し固定される。
【００２２】
第２ベース部９２は上板２３ｃの係止部２３ｄにより形成された隙間に挿入され係止されることにより、上板２３ｃに固定されている。上述のように、係止部２３ｄは、上板２３ｃの断熱層２３ｂ上の領域ＨＲ内に設けられているため、第２ベース部９２も上板２３ｃの断熱層２３ｂ上の領域ＨＲに位置決めされることになる。レール支持部９３は、第１ベース部９１及び第２ベース部９２の間に設けられており、第１ベース９１及び第２ベース９２に対し突出してレールユニット８０を支持し固定するものである。たとえばレール支持部９３には穴部が形成されており、固定レール８１の下部にはツメ８１ａが形成されている。そして、ツメ８１ａが穴部９３ａに挿入され係止されることにより、レールユニット８０がレール固定部材９０に固定されることになる。
【００２３】
ここで、仕切り壁２３にレール固定部材９０が取り付けられる際、第２ベース部９２が係止部２３ｄの隙間に対しスライドさせて嵌め込み、その状態で第１ベース部９１が固定部材９４により固定される。つまり、レール固定部材９０は上板２３ｃに対して、一端はツメ形状で固定され他端側がネジで固定されることになる。このように、第２ベース部９２が仕切り壁２３に嵌め込まれてネジ等を使用することなく固定されることにより、仕切り壁２３内の断熱層２３ｂにネジ等が挿入されることがない。よって、仕切り壁２３に埋設する真空断熱材の面積の拡大をはかることが可能となり、冷凍・冷蔵部屋の断熱効果を高め、省エネルギー化を図ることができる。
【００２４】
また、側面に埋設される真空断熱材に対しても、従来のようにブラケットを固定するためのネジと真空断熱材との距離の確保を考慮することなく、冷蔵庫１００の側面断熱の設計が可能となる。さらに、第２ベース部９２を固定するためのネジの本数を減らすことが可能でありコスト削減につながる。なお、基台２３ａ上の領域ＰＲには、固定部材９４を挿入できる分の幅を有していればよいため、断熱層２３ｂの幅（矢印Ｘ方向）を広くすることができ、断熱効果の高い仕切り壁２３を採用することができる。
【００２５】
ここで、図５は従来の冷蔵庫におけるレールユニットの周辺部位を示す分解斜視図、図６は図５の冷蔵庫におけるレールユニットの周辺部位を示す断面図である。なお、図５及び図６において図３及び図４の冷蔵庫１００と同一の構成を有する部位には同一の符号を付してその説明を省略する。図５及び図６において、レールユニット８０は、レール固定部材１９０を介して内箱１Ｂの側壁に固定されている。具体的には、Ｌ字型のレール固定部材１９０の一面１９０ａ側がネジ等の固定部材１９４により内箱１Ｂの側壁に固定され、他面１９０ｂ側にレールユニット８０が固定されている。ここで、断熱材１Ｃ内にはレール固定部材１９０を固定するネジ板２００が埋設されており、レール固定部材１９０はネジ板２００を介して内箱１Ｂの側壁に固定される。このようにネジ板２００を埋設したのは、上述したように内箱１Ｂは樹脂からなるものであり、レールユニット８０及び引き出し扉２Ｅを保持するための強度を補強するためである。
【００２６】
上述のように、断熱材１Ｃは外箱１Ａと内箱１Ｂとの間の空間に真空断熱材を埋設しウレタン発泡が行われ形成される。ウレタン発泡をする前の段階ではレール固定部材１９０を側壁に固定する際に挿入されるネジ等の固定部材と真空断熱材とのクリアランスを確保するものは存在しない。よって、真空断熱材に穴やキズが生じるのを防止するためには、断熱材距離をとる、もしくは空間を保障するスペーサやネジの頭を保護する部材を設置する必要があり、断熱材１Ｃが薄くなってしまい断熱効果が低下するもしくは収容スペースが狭くなってしまうという問題がある。
【００２７】
図７は別の従来の冷蔵庫における冷蔵庫引き出しレール部を示す分解斜視図、図８は図７の冷蔵庫における引き出しレール部を示す断面図である。なお、図７及び図８において図３及び図４の冷蔵庫１００と同一の構成を有する部位には同一の符号を付してその説明を省略する。図７及び図８において、レールユニット８０はレール固定部材２９０を介して仕切り壁２３上に固定されている。仕切り壁２３の上板２３ｃには２つの貫通孔が形成されており、レール固定部材２９０は、それぞれ穴を有する第１ベース部２９１ａ及び第２ベース部２９１ｂを備えている。そして、第１ベース部２９１ａ及び第２ベース部２９１ｂの穴及び仕切り壁２３の上板２３ｃの貫通孔にネジ等の固定部材２９２、２９２が挿入されて、レール固定部材２９０が上板２３ｃ上に固定される。
【００２８】
図７及び図８に示す取付構造の場合、図５及び図６の取付構造に比べて、断熱材１Ｃ内の真空断熱材とブラケット固定のネジのクリアランスを気にすることなく側面の断熱材１Ｃの構成を設計することが可能となる。したがって、発泡ウレタン層を薄くして庫内の貯蔵スペースを拡大するもしくは真空断熱材を厚くして省エネ効果を拡大することが可能となる。一方で、レール固定部材２９０が仕切り壁２３内の断熱層に固定部材２９２を挿入して固定するものであるため、仕切り壁２３の断熱層２３ｂに断熱効果の高い真空断熱材を埋設することができない。
【００２９】
一方、図３及び図４に示すように、断熱層２３ｂ上に位置する第２ベース部９２は、固定部材を用いずに係止部２３ｄを用いて固定する。仕切り壁２３において断熱層２３ｂが形成されている領域ＨＲにはネジ等の固定部材が挿入されることがないため、仕切り壁２３上にレール固定部材９０を設けた場合であっても、仕切り壁２３内の断熱層２３ｂとして断熱性能の高い真空断熱材を用いることができる。このため、冷凍・冷蔵部屋の容量拡大等を図りながら効率的な各冷凍・冷蔵部屋の冷凍・冷蔵を行い省エネルギー化を促進することができる。言い換えれば、仕切り壁２３に真空断熱材を埋設する際には内箱１Ｂ側のネジ位置と真空断熱材との位置関係を考慮すればよいため、仕切り壁２３に埋設する真空断熱材の面積の拡大を図ることが可能となり、冷凍・冷蔵部屋の断熱効果を高め省エネルギー化を図ることができる。
【００３０】
また、仕切り壁２３の基台２３ａにおいて、レール固定部材９０の第１ベース部９１がネジ等の固定部材により固定されている。このため、レール固定部材９０を固定するためのブラケットを断熱層２３ｂ内に埋設する必要はなく、部品点数を減らすことができるため、コスト面でも有利となる。
【００３１】
本発明の実施形態は、上記実施形態に限定されない。たとえば、上記実施形態において、レールユニット８０がベアリング８４を用いたレールである場合について例示しているが、そのレールユニットの種類を問わず、公知の種々のレールユニットを用いることができる。
【００３２】
また、上記実施形態において、第１ベース部９１が固定部材９４により仕切り壁２３に固定されている場合について例示しているが、第１ベース部９１についてもエンボス形状を設けてスライドにより固定するようにしてもよい。
【００３３】
さらに、図４において、第２ベース部９２が断熱層２３ｂと上板２３ｃに設けられた係止部２３ｄとの間に挿入される場合について例示しているが、図９に示すように、係止部２３ｄが上板２３ｃ上に形成された凸状の部材であって、第２ベース部９２が上板２３ｃと係止部２３ｄとの間に挿入され固定されるものであってもよい。
【符号の説明】
【００３４】
１  箱体、１Ａ  外箱、１Ｂ  内箱、１Ｃ  断熱材、１Ｘ  前面、１Ｙ  背面、２  上部把手部、２Ａ、２Ｂ  開閉扉、２Ｃ〜２Ｆ  引き出し扉、３  前桁、４  調節足部、５  ネジ部、６  化粧カバー、７、８  移動用ローラ、１１  圧縮機、１２  冷却器、１３  送風ファン、１４  風路、１５  ヒータ、１６  カバー、２１〜２３  仕切り壁、２３ａ  基台、２３ｂ  断熱層、２３ｃ  上板、２３ｄ  係止部、２３ｅ  貫通孔、２３ｘ  中空部、３０  冷蔵室、３１〜３４  棚、３６〜３８  ポケット、３７、４１  ケース、４０Ａ  製氷室、４０Ｂ  切り替え室、５０  冷凍室、５１、６１  下ケース、５２、６２  上ケース、６０  野菜室、７０  扉フレーム、７０ａ  固定端面、７０ｂ  扉フレームの上部、７０ｃ  扉フレームの下部、８０  レールユニット、８１  固定レール、８１ａ  ツメ、８２  中間レール、８３  移動レール、８３ａ  ツメ、８３ｂ  ネジ穴、８４  ベアリング、９０、１９０、２９０  レール固定部材、９１  第１ベース部、９２  第２ベース部、９３  レール支持部、９３ａ  穴部、９４  固定部材、１００  冷蔵庫、１９０ａ  一面、１９０ｂ  他面、１９４  固定部材、２００  ネジ板、２９１ａ  第１ベース部、２９２  固定部材、ＨＲ  上板における断熱層上の領域、ＰＲ  上板における基台上の領域。
【図１】
2014102049.tif 000003
【図２】
2014102049.tif 000004
【図３】
2014102049.tif 000005
【図４】
2014102049.tif 000006
【図５】
2014102049.tif 000007
【図６】
2014102049.tif 000008
【図７】
2014102049.tif 000009
【図８】
2014102049.tif 000010
【図９】
2014102049.tif 000011